(57)【特許請求の範囲】
【請求項１】
液晶セルと、線状光源と、液晶セルと線状光源とを収納する枠体とを備えた液晶モジュールであって、前記線状光源には、光放出の均一化に寄与するように該線状光源の明るさを緩和する乳白色を呈した半透明な部材が設けられていることを特徴とする液晶モジュール。
【発明の詳細な説明】
【０００１】
【発明の属する技術分野】
本発明は背面の照明手段を内蔵したいわゆる液晶モジュールに関する。
【０００２】
【従来の技術】
従来よりいわゆる液晶モジュールにおいては、特開平４−７５１９号公報に示されるように、液晶セルを周辺の駆動回路や背面の照明手段とともに金属枠に収納して、取扱い易くしていた。このような液晶モジュールにおいては、背面の照明手段としては光源の真上に液晶セルを配置するのではなく、液晶セルの背面に導光板を配置し、導光板の側面に線状光源を配置する側面照明型の照明手段を用いる方が液晶モジュールを薄く構成できるので好まれ、その場合、導光板や線状光源は樹脂製などの枠体によって支持される。
【０００３】
【発明が解決しようとする課題】
係る液晶モジュールにおいては、機器の小型軽量化に伴って、導光板は薄くなり、線状光源は細くなっている。このような状況では、線状光源の光が効率よく導光板に届きにくく、又損傷しやすい。即ち、導光板が薄くなると、光拡散が十分に行えなくなり、光量の多い線状光源の中央部に対応する導光板中央部と、光量の少ない線状光源端縁近傍に対応する導光板周辺部との差が、照度差として現れ易い。さらに線状光源の配置が傾斜したり、線状光源自身が橈んだりすると、その影響を直接的に受けて照度ムラとして現れることになる。また線状光源が細くなることで振動に弱くなり、橈みやすく、湾曲時に線状光源を支持する枠体や導光板に接触して破損することすら生じた。
【０００４】
【課題を解決するための手段】
本発明は上述の点を考慮して成されたもので、液晶セルと、線状光源と、液晶セルと線状光源とを収納する枠体とを備えた液晶モジュールであって、  前記線状光源には、光放出の均一化に寄与するように該線状光源の明るさを緩和する乳白色を呈した半透明な部材が設けられている。
【０００５】
【作用】
これにより長い線状光源であっても、線状光源の光量分布が均一化し、照度分布が平均化する。
【０００６】
【発明の実施の形態】
図１は本発明実施例の液晶モジュールの線状光源部分を含む断面図ａと線状光源部分の部品展開図ｂで、１は液晶を２枚の基板１１で挾持した液晶セルで、ツイストネマティック、スーパーツイストネマティックなど、２枚の基板の間に液晶分子が９０〜２７０度にツイストした構造を持つネマティック液晶が充填された電界効果型モードの透過型のもので、必要に応じて基板の前後には偏光板１２を有している。さらに液晶セル１の周辺部に、液晶を駆動する駆動素子１３が配置され、その駆動素子１３は例えば箔状電極を有する樹脂フィルムに支持されたいわゆるＴＡＢと呼ばれるものを例示しているが、ベアチップを液晶セル基板若しくは駆動回路基板１４に直接接続固着してもよく、いずれも液晶を駆動するために液晶セル１の周辺部の端子に接続され、共通端子や電源などは駆動素子を支持する駆動回路基板１４に接続されているのが好ましい。
【０００７】
２は、液晶セル１の背面に配置された導光板で、例えば厚さ０．６〜１０ｍｍの厚さのアクリル樹脂板を１枚もしくは複数枚積層したものを主として用い、そのアクリル樹脂の平板の裏面に反射性白色塗料を場所によって密度の異なる分布となるように印刷して光散乱効果を持たせ、必要に応じて表面に光拡散シート２１を敷設し、裏面には白色紙や無光沢アルミニウムシート等からなる反射シート２２を配置することによって高照度化と照度の均一化を図ったものである。このような導光板は近年薄いものを使用するようになっており、そのため印刷塗料などで照度の均一化が十分図れないときは光拡散シートの代わりにレンズシートを用いることもあり、本発明においてはいずれも適用できる。
【０００８】
３は、導光板２の少なくとも１側面に対向して配置された線状光源で、螢光管とか冷陰極管からなり、導光板２の対向する側面Ａの長さより長く、非接触に反射シート３１で被われており、その直径は１．５〜５ｍｍであるが、この線状光源３も近年は細くなっていて１．５〜２．５ｍｍのものが多い。
【０００９】
４は、液晶セル１を支え、導光板２と線状光源３を支持する枠体で、例えば、上枠体と下枠体からなる樹脂成形品からなり、導光板２はその中央部に設けた透孔に嵌合し、線状光源３は両端部を上枠体と下枠体で挾持し、線状光源３のリード線３２をあらかじめ設けられた凹部に収納する。枠体３は、液晶セル１と、導光板２や線状光源３からなる照明手段とを分離収納するものであってもよく、また底面パネルを兼用していてもよい。また５は、これらの構成部品、とりわけ液晶セル１と駆動素子１３を収納する金属枠で、略中央に液晶セル１の表示面を露出させる透孔５１が設けてあり、液晶セル１を収納して枠体３若しくは底面パネルに、側面に設けた爪５２でカシメるか、若しくはビス等で相互に固定する。
【００１０】
このような構成において線状光源３の略中央部に２箇所、半透光性で緩衝性のリング６を設けてある。このリング６は例えば幅１．５ｍｍ〜６ｍｍのシリコンゴムからなるもので、線状光源３の長さが１０ｃｍ程度と短い場合には中央部に１つ、また３０ｃｍのように長い場合には中央を含む３箇所のように適宜個数を増減すればよい。
【００１１】
線状光源３は、例えば３ｍｍ以下の冷陰極管のように細くなると橈みやすくなるので、これが導光板２や枠体４に接触しないように、若しくは接触しても直接管に当って管が割れないように緩衝するのがよいが、例えば液晶セル１と枠体４の間に配置した棒状の緩衝剤４１と同じものを用いると、その緩衝剤によって導光板２に導かれる光が減少したり、その緩衝剤が陰になって導光板２の照明部分に投影されたりするので、緩衝剤であれば何でもよいということにはならない。
【００１２】
その点を検討したところ、例え不透明なものであっても、あまり幅の広くないリングにして、線状光源の光量の多い略中央部に１つもしくは分散して複数個配置し、少なくともこの近傍を反射シート３１で被えば、リングに近接して放出される光によってハレーションが生じ、照明に対する影響が極めて少ないことが分かった。またリングがあることで橈み難くくなり、振動に対して表示輝度変化が目立たなくなった。
【００１３】
さらにこのようなリングを不透明でないものにすれば、光放出の均一化に寄与することも分かった。これは図２に示すように、リングを用いない場合には点線のような特性Ｂとなるのに対し、透明なリングでは破線の特性Ｃとなり、むしろリング６の部分の明るさが強調される。そして乳白色を呈し、半透明性を持つリングを用いたときは、曲線の特性Ｄとなり、全体に略均一化される。即ち、リングを用いないときは線状光源の両端が暗く中央が明るい様子が強調されるが、リング６と反射シート３１を用いることによって中央部の明るさが少許り緩和され平均化されることとなる。従って、複数箇所に半透明性のリング６を用いるのが最も好ましい。
【００１４】
【発明の効果】
以上の如く、液晶モジュールにおいて、長い線状光源を利用する場合であっても、部材によって線状光源の光量分布が均一化し、照度分布が平均化し、照度ムラが極めて少なくなった。
【図面の簡単な説明】
【図１】本発明実施例の液晶モジュールの線状光源部分を含む要部断面図ａと線状光源部分の部品展開図ｂである。
【図２】線状光源にリングを設けた場合の導光板中央部の照度分布図である。
【符号の説明】
１  液晶セル
２  導光板
３  線状光源
４  枠体
６  リング
【図１】
0003706619.tif 000002
【図２】
0003706619.tif 000003